(57)【要約】【課題】工具ビットの着脱の操作性がきわめて良好なものとする。【解決手段】回転駆動される出力軸２０の先端面に設けられたビット挿入孔２１と、出力軸先端部に配されてビット挿入孔内に挿入された工具ビットと係合する係合部材２３と、出力軸先端部の外周に軸方向スライド自在に配されたホルダー２４とからなるチャック２を備える。また、軸方向スライドによって上記係合部材と工具ビットとの係合を解除可能とする上記ホルダーのスライド動作を遠隔操作する遠隔操作部材を備える。工具を持つ手による遠隔操作によってチャックを工具ビットの着脱ができる状態にセットすることができ、ホルダーの操作に両手を必要としない。【選択図】図１
2008183638.tif 000002
【特許請求の範囲】
【請求項１】
回転駆動される出力軸の先端面に設けられたビット挿入孔と、出力軸先端部に配されてビット挿入孔内に挿入された工具ビットと係合する係合部材と、出力軸先端部の外周に軸方向スライド自在に配されたホルダーとからなるチャックを備えている回転工具であって、軸方向スライドによって上記係合部材と工具ビットとの係合を解除可能とする上記ホルダーのスライド動作を遠隔操作する遠隔操作部材を備えていることを特徴とする回転工具。
【請求項２】
遠隔操作部材はスイッチと、このスイッチ操作で励磁される電磁石であることを特徴とすることを特徴とする請求項１記載の回転工具。
【請求項３】
電磁石の励磁状態を表示する表示部材を備えていることを特徴とする請求項１または２記載の回転工具。
【請求項４】
出力軸の駆動用のモータの回転中は遠隔操作部材によるホルダーのスライド動作が不能となっていることを特徴とする請求項１〜３のいずれか１項に記載の回転工具。
【請求項５】
出力軸の駆動用のモータをオンオフさせるトリガースイッチハンドルが前記スイッチを兼ねていることを特徴とする請求項２記載の回転工具。
【請求項６】
遠隔操作部材は工具のハウジングに沿って前後に移動自在に配されているレバーであることを特徴とする請求項１記載の回転工具。
【発明の詳細な説明】
【技術分野】
【０００１】
本発明は、ドライバーやドリルといった回転工具、殊にチャックを備えている回転工具に関するものである。
【背景技術】
【０００２】
ドライバーやドリル等の回転工具において、工具ビットを着脱自在に保持するチャックとして、コレットチャックと、ワンタッチビットチャックと称されるものとが用いられている。
【０００３】
前者は各種サイズの工具ビットを取り付けることができるという利点を有しているが、機構上、重い上にコストも高く、また工具ビットの交換には時間を要する。これに対して特許文献１に示されているように、断面六角型の工具ビットを出力軸先端面に設けた断面六角型のビット挿入孔に差し込むとともに、工具ビット外周面に設けた環状の溝に抜け止めのための係合部材（たとえば鋼球やピン）を係止させるワンタッチビットチャックは、断面六角型の工具ビットしか用いることができないが、軽量且つ低コストで提供することができるとともに、工具ビットの交換もコレットチャックのものに比して簡便に行うことができる。
【０００４】
ところで上記ワンタッチビットチャックでは、上記抜け止めのための係合部材の外周を覆う筒状のホルダーを出力軸の先端部外周に配し、工具ビットを取り外す際には上記ホルダーを出力軸の軸方向に動かして係合部材の外周側にホルダー内周面における凹部を対向させることで、係合部材が出力軸の外周側に退避させることができるようにして、この状態で工具ビットを軸方向に抜き取ることで行う。
【０００５】
ここにおいて、工具ビットの着脱の際の上記ホルダーを軸方向に動かす操作には両方の手が必要である上に、工具ビットの着脱には更に工具ビットを抜き差しする操作が必要であることから、その操作性はけっして良好ではなく、工場のライン等で作業途中に工具ビットの交換が必要な場合、その交換に要する手間や時間は作業者にとって問題である。
【特許文献１】特開２００１−００１１４１号公報
【発明の開示】
【発明が解決しようとする課題】
【０００６】
本発明は上記の従来の問題点に鑑みて発明したものであって、工具ビットの着脱の操作性がきわめて良好な回転工具を提供することを課題とするものである。
【課題を解決するための手段】
【０００７】
上記課題を解決するために本発明に係る回転工具は、回転駆動される出力軸の先端面に設けられたビット挿入孔と、出力軸先端部に配されてビット挿入孔内に挿入された工具ビットと係合する係合部材と、出力軸先端部の外周に軸方向スライド自在に配されたホルダーとからなるチャックを備えたものにおいて、軸方向スライドによって上記係合部材と工具ビットとの係合を解除可能とする上記ホルダーのスライド動作を遠隔操作する遠隔操作部材を備えていることに特徴を有している。
【０００８】
工具を持つ手による遠隔操作によってチャックを工具ビットの着脱ができる状態にセットすることができるものであり、ホルダーの操作に両手を必要としないものである。
【０００９】
上記遠隔操作部材はスイッチと、このスイッチ操作で励磁される電磁石とを好適に用いることができる。
【００１０】
電磁石の励磁状態を表示する表示部材を備えたものとするのも好ましい。
【００１１】
また、出力軸の駆動用のモータの回転中は遠隔操作部材によるホルダーのスライド動作が不能となっていることが誤操作の防止という点で好ましい。また、出力軸の駆動用のモータをオンオフさせるトリガースイッチハンドルが前記スイッチを兼ねていると、遠隔操作のための部品数の増加を少なくすることができる。
【００１２】
遠隔操作部材は工具のハウジングに沿って前後に移動自在に配されているレバーであってもよい。
【発明の効果】
【００１３】
本発明は、工具を持つ手による遠隔操作によってチャックを工具ビットの着脱ができる状態にセットし、他方の手で工具ビットの抜き差しを行う行うことができるものであり、ホルダーの操作に両手を必要とする従来のものに比して、工具ビットの着脱の操作性がきわめて良好なものである。
【発明を実施するための最良の形態】
【００１４】
以下、本発明を添付図面に示す実施形態に基いて説明する。図に示す回転工具はインパクト型のドリルドライバーで、円筒状の本体部１０とこの本体部１０の途中から下方に延びたグリップ部１１とを有するハウジング１の上記本体部１０内には後端側からモータ駆動回路１２、モータ１３、ギアブロック１４が納められており、グリップ部１１の根元部分にはスイッチ本体１５が納められている。図中１７はグリップ部１１の根元前面側に前後にスライド自在に配設されたトリガースイッチハンドル、１８は本体部１０とグリップ部１１との境界付近に左右方向にスライド自在に配設されたモータ回転方向切換用の切換レバー、図３中の１６はグリップ部１１の下端に着脱自在に連結される電池パックである。
【００１５】
上記ギアブロック１４は、ギアケース１４０内に遊星機構による減速器１４１と、インパクト機構１４２とを納めたもので、インパクト機構１４２の出力部であるアンビル１４３を後端側に一体に備えた出力軸２０の先端にチャック２が設けられている。
【００１６】
このチャック２は、出力軸２０の先端面に形成された断面六角型のビット挿入孔２１と、出力軸２０の外周面からビット挿入孔２１に至る半径方向の貫通孔２２と、この貫通孔２２内に配した鋼球２３と、出力軸２０の先端部外周面に軸方向にスライド自在に配した筒状のホルダー２４と、ホルダー２４を後方に向けて付勢するばね２５とからなるもので、ホルダー２４の後端側の内周面には逃げ溝２６が形成されている。
【００１７】
ばね２５による付勢で後方に付勢されているホルダー２４は、その内周面が鋼球２３を出力軸２０の中心側へと押さえ込んで、ビット挿入孔２１内に一端が差し込まれた断面六角型の工具ビット９（図３参照）の外周面に形成された環状の溝（図示せず）に鋼球２３が係止して、工具ビット９の抜け止めを行っている。
【００１８】
しかし、図２に示すように、上記ホルダー２４をばね２５に抗して前方側へ移動させることで、ホルダー２４内周面に設けた上記逃げ溝２６を鋼球２３の外周位置に配置すれば、係合部材である鋼球２３は逃げ溝２６に退避することができるようになるために、工具ビット９を抜き出すことができる。
【００１９】
ここにおいて、この回転工具においては、上記トリガースイッチハンドル１７の近傍でグリップ部１１を持つ手で操作可能な場所にスイッチ３２を配してある。またチャック２におけるホルダー２４の後端外周面に永久磁石３１を取り付けてあり、さらにハウジング１の前端部内周面には電磁石３０を取り付けてある。
【００２０】
この電磁石３０は、スイッチ３２の操作で励磁されるものであり、この励磁時、ハウジング１に取り付けた電磁石３０と、ホルダー２４に取り付けた永久磁石３１との間に磁気反発力が働くようにしていることから、スイッチ３２の操作でホルダー２４は上記磁気反発力によってばね２５に抗して前進し、工具ビット９の抜き差しが可能な図２に示す状態になる。
【００２１】
つまり、ばね２５に抗してホルダー２４を前進させた状態（チャック２が開いた状態）に保つことが、グリップ部１１を握る手でスイッチ３２を操作するだけでできるものであり、もう片方の手は工具ビット９のみを持って着脱することができる。
【００２２】
スイッチ３２がオンの時だけ電磁石３０に通電するのではなく、スイッチ３２を一回操作すれば、電磁石３０に通電され、再度スイッチ３２を操作すれば、電磁石３０への通電が遮断されるようにしてもよい。この場合、工具ビット９を交換している間、スイッチ３２を操作している必要がなくなる。
【００２３】
いずれにしても、電磁石３０が励磁されてチャック２が開いた状態にある時にモータ１３の駆動用のトリガースイッチ１７が操作されたならば、この回転工具の動作制御を司る制御回路（マイコン）が電磁石３０への通電を直ちに遮断するようにしておくことが好ましい。図５はスイッチ３２（図中ではマイクロＳＷ）を操作している間だけ電磁石３０（図中ではコイル）に通電される場合のフローを示しているが、スイッチ３２を再度操作することで電磁石３０への通電を遮断するようにしている場合の方が、電磁石３０を励磁したままにしてしまう可能性が高いために、より有効である。
【００２４】
また、ここではハウジング１のグリップ部１１の下端側に表示部３３を設けて、電磁石３０を励磁している間は、その旨を該表示部３３で表示するようにしている。電磁石３０を励磁することでチャック２が開いていることが一目でわかる。
【００２５】
チャック２を開くための専用のスイッチ３２を設けるのではなく、回転工具がもともと備えている操作部、たとえばトリガースイッチハンドル１７に特殊な操作を加えれば電磁石３０を励磁してチャック２を開くようにしてもよい。図６はトリガースイッチハンドル１７（図中ではトリガー）のオンオフ操作を短時間内に２回以上繰り返した時、チャック２の開放指示操作がなされたとして電磁石２０を励磁し、次にトリガースイッチハンドル１７が操作された時に電磁石３０への通電を遮断するようにしたものを示している。
【００２６】
以上の各例では、電磁気によってチャック２の開放を行うものを示したが、メカニカルに構成することもできる。図７〜図９はこの場合の一例を示しており、ハウジング１の側面には前後にスライド自在な操作レバー３５を配置し、出力軸２０の外周でホルダー２４の後方側に配したリング状の係合部材３４を上記操作レバー３５の前端側に連結している。そして上記操作レバー３５の後端側は、この回転工具を持つ手の親指で前方へ押すことができる位置に配置してある。
【００２７】
ばね３６によって後方への付勢されている操作レバー３５の後端面をグリップ部１１を持つ手の親指で押して操作レバー３５を前進させれば、係合部材３４がホルダー３４を前方側へと移動させてチャック２を開放状態とする。操作レバー３５から指を離せば、ばね３６によって操作レバー３５が復帰し、チャック２は閉じた状態となる。
【００２８】
なお、上記操作レバー３５や係合部材３４及びばね３６からなる開放機構は、回転工具外面に着脱自在に取り付けられるようにしておけば、開放機構を持たない回転工具にも適用することができる。
【図面の簡単な説明】
【００２９】
【図１】本発明の実施の形態の一例の破断側面図である。
【図２】同上のチャック開放時の破断側面図である。
【図３】同上の斜視図である。
【図４】同上の側面図である。
【図５】同上の動作の一例のフローチャートである。
【図６】同上の動作の他例のフローチャートである。
【図７】別の実施形態の一例の斜視図である。
【図８】同上の破断側面図である。
【図９】同上のチャック開放時の破断側面図である。
【符号の説明】
【００３０】
１  ハウジング
２  チャック
２０  出力軸
２１  ビット挿入孔
２３  鋼球
２４  ホルダー
３０  電磁石
３２  スイッチ
【図１】
2008183638.tif 000003
【図２】
2008183638.tif 000004
【図３】
2008183638.tif 000005
【図４】
2008183638.tif 000006
【図５】
2008183638.tif 000007
【図６】
2008183638.tif 000008
【図７】
2008183638.tif 000009
【図８】
2008183638.tif 000010
【図９】
2008183638.tif 000011